(57)【要約】【課題】  本発明は、作動部材の小さな移動量でアクチュータを大きく傾動させて、内部のスイッチ回路を確実に切り換えることができる操作性に優れたスイッチ装置を提供すること。【解決手段】  アクチュエータ５は、基部６が一方の側壁２ａに対して直立状態の中立状態から、第１操作部５ａが一方の側壁２ａに近づく方向の矢印Ｄの一方向に傾倒操作すると、第１操作部５ａがスイッチ操作部９を押圧可能となっており、アクチュエータ５を一方向に傾倒操作することで、基部６に支持した弾性部材７が、摺動部材８を介して一方の側壁２ａ上を他方側にスライドし、この時の弾性部材７の付勢力で、第１操作部５ａが一方の側壁２ａに近づく方向に傾倒して、スイッチ操作部９が筐体２内部に押し込まれてスイッチ回路（図示せず）が切り換わるようになっている。【選択図】        図２
2006351238.tif 000002
【特許請求の範囲】
【請求項１】
内部にスイッチ回路が形成された筐体と、この筐体の一方の側壁側に支持されたアクチュータと、前記筐体の一方の側壁から外部に所定高さで突出して前記スイッチ回路を切り換え操作可能なするスイッチ操作部とを備え、  
前記アクチュエータには、前記一方の側壁に弾性付勢する弾性部材が支持され、前記アクチュエータは、前記一方の側壁に対して弾性付勢可能でスライド可能に前記弾性部材を支持した基部を有する共に、前記基部から一方側に延びて前記一方の側壁から離れる方向に所定角度で傾斜する第１操作部と、前記基部から他方側に延びて前記一方の側壁から離れる方向に所定角度で傾斜する第２操作部とを有し、前記アクチュエータは、前記基部が前記一方の側壁に対して直立状態の中立状態から、前記第１操作部が前記一方の側壁に近づく方向の一方向に傾倒操作すると、前記第１操作部が前記スイッチ操作部を押圧可能となっており、
前記アクチュエータを前記一方向に傾倒操作することで、前記基部に支持した前記弾性部材が、前記一方の側壁上を前記他方側にスライドし、この時の前記弾性部材の付勢力で、前記第１操作部が前記一方の側壁に近づく方向に傾倒して、前記スイッチ操作部が前記筐体内部に押し込まれて前記スイッチ回路が切り換わることを特徴とするスイッチ装置。
【請求項２】
前記筐体の前記一方の側壁には、前記アクチュータを前記一方向、または他方向に傾倒可能に支持する傾倒支持部が形成され、前記アクチュエータは、このアクチュータ上に配設した外部の作動部材が前記第１操作部を前記一方の側壁に近づく方向に押圧すると前記一方向に傾倒し、前記作動部材が前記第２操作部を前記一方の側壁に近づく方向に押圧すると前記一方向と反対方向の他方向に傾倒可能になっていることを特徴とする請求項１記載のスイッチ装置。
【請求項３】
前記アクチュエータには、前記傾倒支持部に支持可能な支点部が形成されていると共に、前記支点部から前記一方の側壁側に延びて前記基部が形成されていることを特徴とする請求項１、または２記載のスイッチ装置。
【請求項４】
前記基部には、前記弾性部材を収納可能な所定深さの収納孔が形成され、前記収納孔に収納した状態の前記弾性部材と前記一方の側壁との間には、前記筐体の前記一方の側壁上を前記スライド可能な摺動部材が配設されていることを特徴とする請求項１乃至３のいずれかに記載のスイッチ装置。
【請求項５】
前記アクチュエータには、前記一方向及び前記他方向に傾倒する傾倒角度を、所定角度範囲内に規制可能なストッパー部が形成されていることを特徴とする請求項２乃至４のいずれかに記載のスイッチ装置。
【請求項６】
前記作動部材は、前記筐体の前記一方の側壁と平行方向に移動可能に配設され、前記作動部材の移動操作で前記第１、第２操作部が前記一方の側壁側に押圧されて、アクチュエータが前記傾倒操作可能になっていることを特徴とする請求項２乃至５のいずれかに記載のスイッチ装置。
【請求項７】
前記第１、第２操作部には、前記作動部材が押圧操作する操作面が、鈍角の角度αを挟んで形成されていることを特徴とする請求項１乃至４のいずれかに記載のスイッチ装置。
【請求項８】
前記摺動部材は、前記弾性部材が弾性付勢可能な鋼球からなることを特徴とする請求項４乃至７のいずれかに記載のスイッチ装置。
【発明の詳細な説明】
【技術分野】
【０００１】
本発明は、スイッチ装置に係わり、外部の作動部材を一方向に移動操作することにより筐体から外側に突出するスイッチ操作部を押圧操作して筐体内部のスイッチ回路を切り換え可能なスイッチ装置に関する。
【背景技術】
【０００２】
従来のスイッチ装置を特許文献１に基づいて図５、図６で説明すると、従来のスイッチ装置２０は、筐体２１が配設され、この筐体２１の内部に所定のスイッチ回路（図示せず）が形成されている。
前記筐体２１には、内部のスイッチ回路に接続する複数の端子部２２が、図示下方側に延出形成されている。
また、アクチュエータ２３は、弾性を有する金属板からなり、図示左側の取付脚部２４が筐体２１に圧入等で固着されて筐体２１と一体化されている。
【０００３】
前記アクチュエータ２３は、取付脚部２４を略直角状に屈曲して図示水平状の支持部２５が形成され、この支持部２５の先部には、取付脚部２４の曲げ方向と反対方向に角度Ａ（略３５度）で屈曲形成して立上がり部２６が形成されている。
また、立上がり部２６の先側には、支持部２５と略平行な接触部形成部２７が形成されている。
前記接触部形成部２７の表面側には、傾斜状の立上がり部２６の延長線上に作動体接触部２８が突出形成されている。
【０００４】
また、接触部形成部２７の下面には、筐体２１から所定高さで上方に突出するスイッチ操作部３０が形成され、このスイッチ操作部３０が接触部形成部２７に押圧されると、筐体２１内部に押し込まれる。このことにより、筐体２１内部のスイッチ回路（図示せず）が切り換わるようになっている。
また、スイッチ装置２０の外部には、略水平状のアクチュエータ２３の支持部２５上に、矢印Ｂ方向に移動操作可能な作動部材３１が配設されている。
【０００５】
このような従来のスイッチ装置２０は、図５に示す初期状態において、スイッチ操作部３０が所定高さに上昇して、アクチュータ２３が自身の弾性力で支持部２５と接触部形成部２７とが略水平状になっている。
このような初期状態において、作動部材３１を図示右方向の矢印Ｂ方向に移動操作すると、アクチュエータ２３の略３５度で傾斜する立上がり部２６が下方に押圧されて降下する。この時の立ち上がり部２６の降下量は、作動部材３１の矢印Ｂ方向の移動量より小さい。
【０００６】
そして、立上がり部２６が降下することで、略水平状の支持部２５が下方側に弾性変形して、図６に示すように、接触部形成部２７が矢印Ｃ方向に回動して降下する。このことにより、スイッチ操作部３０が筐体２１内部に押し込まれて、筐体２１内部のスイッチ回路がＯＦＦからＯＮに切り換わるようになっている。
また、スイッチ操作部３０を押し込んだ作動状態から、作動部材３１を矢印Ｂと逆方向に移動させると、スイッチ操作部３０の押し込みが解除され、アクチュエータ２３が自身の弾性力で図６に示す初期状態に復帰すると共に、スイッチ操作部３０も初期状態に上昇する。
このことにより、内部のスイッチ回路がＯＦＦするようになっている。
【特許文献１】特開２００４−３１１０９１号公報
【発明の開示】
【発明が解決しようとする課題】
【０００７】
しかし、従来のスイッチ装置２０のアクチュエータ２３は、立上げ部２６の角度Ａが略３５度に形成されていたので、作動部材３１の矢印Ｂ方向の移動量より立上がり部２６の回動量が小さい。
そのために、作動部材３１の矢印Ｂ方向への移動量を大きくしないと、筐体２１内部のスイッチ回路がＯＮするまで、スイッチ操作部３０を筐体２１内部に押し込むことができないという問題があった。
このような作動部材３１の移動量が大きくなると、スイッチ操作部３０の押し込み速度が遅くなり、筐体２１内部のスイッチ回路を確実に切り換えできないおそれがあった。
【０００８】
本発明は、前述したような課題を解決し、作動部材の小さな移動量でアクチュータを大きく傾動させて、内部のスイッチ回路を確実に切り換えることができる操作性に優れたスイッチ装置を提供することを目的とする。
【課題を解決するための手段】
【０００９】
前記課題を解決するための第１の手段として本発明のスイッチ装置は、内部にスイッチ回路が形成された筐体と、この筐体の一方の側壁側に支持されたアクチュータと、前記筐体の一方の側壁から外部に所定高さで突出して前記スイッチ回路を切り換え操作可能なするスイッチ操作部とを備え、  
前記アクチュエータには、前記一方の側壁に弾性付勢する弾性部材が支持され、前記アクチュエータは、前記一方の側壁に対して弾性付勢可能でスライド可能に前記弾性部材を支持した基部を有する共に、前記基部から一方側に延びて前記一方の側壁から離れる方向に所定角度で傾斜する第１操作部と、前記基部から他方側に延びて前記一方の側壁から離れる方向に所定角度で傾斜する第２操作部とを有し、前記アクチュエータは、前記基部が前記一方の側壁に対して直立状態の中立状態から、前記第１操作部が前記一方の側壁に近づく方向の一方向に傾倒操作すると、前記第１操作部が前記スイッチ操作部を押圧可能となっており、
前記アクチュエータを前記一方向に傾倒操作することで、前記基部に支持した前記弾性部材が、前記一方の側壁上を前記他方側にスライドし、この時の前記弾性部材の付勢力で、前記第１操作部が前記一方の側壁に近づく方向に傾倒して、前記スイッチ操作部が前記筐体内部に押し込まれて前記スイッチ回路が切り換わることを特徴とする。
また、前記課題を解決するための第２の手段として、前記筐体の前記一方の側壁には、前記アクチュータを前記一方向、または他方向に傾倒可能に支持する傾倒支持部が形成され、前記アクチュエータは、このアクチュータ上に配設した外部の作動部材が前記第１操作部を前記一方の側壁に近づく方向に押圧すると前記一方向に傾倒し、前記作動部材が前記第２操作部を前記一方の側壁に近づく方向に押圧すると前記一方向と反対方向の他方向に傾倒可能になっていることを特徴とする請求項１記載のスイッチ装置。
【００１０】
また、前記課題を解決するための第３の手段として、前記アクチュエータには、前記傾倒支持部に支持可能な支点部が形成されていると共に、前記支点部から前記一方の側壁側に延びて前記基部が形成されていることを特徴とする。
また、前記課題を解決するための第４の手段として、前記基部には、前記弾性部材を収納可能な所定深さの収納孔が形成され、前記収納孔に収納した状態の前記弾性部材と前記一方の側壁との間には、前記筐体の前記一方の側壁上を前記スライド可能な摺動部材が配設されていることを特徴とする。
【００１１】
また、前記課題を解決するための第５の手段として、前記アクチュエータには、前記一方向及び前記他方向に傾倒する傾倒角度を、所定角度範囲内に規制可能なストッパー部が形成されていることを特徴とする。
また、前記課題を解決するための第６の手段として、前記作動部材は、前記筐体の前記一方の側壁と平行方向に移動可能に配設され、前記作動部材の移動操作で前記第１、第２操作部が前記一方の側壁側に押圧されて、アクチュエータが前記傾倒操作可能になっていることを特徴とする。
【００１２】
また、前記課題を解決するための第７の手段として、前記第１、第２操作部には、前記作動部材が押圧操作する操作面が、鈍角の角度αを挟んで形成されていることを特徴とする。
また、前記課題を解決するための第８の手段として、前記摺動部材は、前記弾性部材が弾性付勢可能な鋼球からなることを特徴とする。
【発明の効果】
【００１３】
本発明のスイッチ装置のアクチュエータを一方向に傾倒操作することで、基部に支持した弾性部材が、一方の側壁上を他方側にスライドし、この時の弾性部材の付勢力で、第１操作部が一方の側壁に近づく方向に傾倒して、スイッチ操作部が筐体内部に押し込まれてスイッチ回路が切り換わるので、アクチュエータを一方向に傾倒操作することで、筐体内部のスイッチ回路を確実に切り換えできる、操作性に優れたスイッチ装置を提供できる。
また、筐体の一方の側壁には、アクチュータを一方向、または他方向に傾倒可能に支持する傾倒支持部が形成され、アクチュエータは、このアクチュータ上に配設した外部の作動部材が第１操作部を一方の側壁に近づく方向に押圧すると一方向に傾倒し、作動部材が第２操作部を一方の側壁に近づく方向に押圧すると一方向と反対方向の他方向に傾倒可能になっているので、中立状態のアクチュエータを、作動部材の移動で確実に一方向、または他方向に確実に傾倒操作できる。
【００１４】
また、アクチュエータには、傾倒支持部に支持可能な支点部が形成されていると共に、支点部から一方の側壁側に延びて基部が形成されているので、アクチュエータは、支点部を支点として確実に一方向、他方向に傾倒操作することができる。
また、基部には、弾性部材を収納可能な所定深さの収納孔が形成され、収納孔に収納した状態の弾性部材と一方の側壁との間には、筐体の一方の側壁上をスライド可能な摺動部材が配設されているので、弾性部材の付勢力を摺動部材を介して一方の側壁に確実に付加することができる。そのために、弾性部材の付勢力でアクチュエータを確実に傾倒操作することができる。
【００１５】
また、アクチュエータには、一方向及び他方向に傾倒する傾倒角度を、所定角度範囲内に規制可能なストッパー部が形成されているので、スイッチ操作部を所定以上筐体内部に押し込むことが無く、内部のスイッチ回路が破損するのを防止できる。
また、作動部材は、筐体の一方の側壁と平行方向に移動可能に配設され、作動部材の移動操作で第１、第２操作部が一方の側壁側に押圧されて、アクチュエータが傾倒操作可能になっているので、作動部材の移動操作で本発明のスイッチ装置のスイッチ回路を確実に切り換えることができる。
【００１６】
また、第１、第２操作部には、作動部材が押圧操作する操作面が、鈍角の角度αを挟んで形成されているので、作動部材の移動量が小さくても、アクチュエータを大きく傾動させて、内部のスイッチ回路を確実に切り換えることができる。
また、摺動部材は、前記弾性部材が弾性付勢可能な鋼球からなるので、一方の側壁に対する摺動部材の摩擦係数を小さくでき、更に、アクチュエータを確実に傾動操作するできる。
【発明を実施するための最良の形態】
【００１７】
以下、本発明のスイッチ装置の１実施の形態を図面に基づいて説明する。図１は本発明のスイッチ装置を説明する側面図であり、図２〜図４は本発明のスイッチ装置の動作を説明する要部断面図である。
まず、本発明のスイッチ装置１は、図１に示すように、内部にスイッチ回路（図示せず）が形成された樹脂材料等の絶縁材料からなる筐体２が配設されている。この筐体２には、図示上部側に一方の側壁２ａが形成され、図示下部側に他方の側壁２ｂが形成されて内部が空洞状になっている。
【００１８】
前記筐体２の他方の側壁２ｂからは、筐体２内部のスイッチ回路に接続された複数の端子部３が延出形成されている。
また、筐体２の一方の側壁２ａの略中央部からは、後述するアクチュエータ５を矢印Ｄ方向、または矢印Ｅ方向に傾倒可能に支持する傾倒支持部４が所定高さで突出形成されている。前記傾倒支持部４の上部側には、支持孔４ａが形成されている。
また、傾倒支持部４の支持孔４ａには、後述するアクチュータ５の支持部５ｅが嵌合支持されて、アクチュータ５が矢印Ｄの一方向及び矢印Ｅの他方向に傾倒操作可能になっている。
【００１９】
前記アクチュータ５は、支点部５ｅから一方の側壁２ａ側に延びて基部６が形成され、この基部６から図示右方向の一方側に延びて一方の側壁２ａから離れる方向に所定角度（図３に示すβ）で傾斜する第１操作部５ａ（図示右側）と、基部６から図示左方向の他方側に延びて一方の側壁２ａから離れる方向に所定角度（図３に示すβ）で傾斜する第２操作部５ｂ（図示左側）とが、それぞれ所定長さで形成されている。
前記第１操作部５ａは、上面側に第１操作面５ｃが形成され、第２操作部５ｂは、上面側に第２操作面５ｄが形成されている。
【００２０】
そして、第１、第２操作面５ｃ、５ｄは、図３に示すように、鈍角の角度αを挟んで略Ｖ字状に形成されている。
また、アクチュエータ５は、第１、第２操作部５ａ、５ｂが交わる中心部分で基部６が形成された部分に支点部５ｅが形成され、この支点部５ｅが傾倒支持部４の支持孔４ａに支持可能になっている。
前記支点部５ｅを支持孔４ａに嵌合支持したアクチュエータ５は、支点部５ｅを支点として矢印Ｄの一方向、または矢印Ｅの他方向に傾倒操作可能になっている。
また、第１操作部５ａの支点部５ｅ近傍には、第１ストッパー部５ｆが所定高さで突出形成され、第２操作部５ｂの支点部５ｅ近傍には、第２ストッパー部５ｇが所定高さで突出形成されている。
【００２１】
また、アクチュエータ５は、矢印Ｄの一方向に傾倒操作すると、第１ストッパー部５ｆが傾倒支持部４の図示右側面に当接して、図４に示すように、第１操作部５ａが、一方の側壁２ａと略平行となって動きが規制されるようになっている。
また、アクチュエータ５は、矢印Ｅの他方向に傾倒操作すると、第２ストッパー部５ｇが傾倒支持部４の図示左側面に当接して、図１、図２に示すように、第２操作部５ｂが、一方の側壁２ａと略平行となって動きが規制されるようになっている。
即ち、矢印Ｄの一方向及び矢印Ｅの他方向に傾倒するアクチュエータ５の傾倒角度を、所定角度範囲内に規制可能な第１、第２ストッパー部５ｆ、５ｇが、アクチュエータ５に形成されている。
【００２２】
また、基部６には、図２に示すように、所定の径寸法と深さ寸法の収納孔６ａが形成され、この収納孔６ａに、コイルバネからなる弾性部材７が収納されている。前記弾性部材７と一方の側壁２ａとの間の収納孔６ａには、一方の側壁２ａ上をスライド可能な鋼球からなる摺動部材８が弾性部材７に弾性付勢されて配設されている。
即ち、アクチュエータ５には、一方の側壁２ａに弾性付勢可能でスライド可能な弾性部材７を支持する基部６が形成されている。
【００２３】
また、筐体２の一方の側壁２ａの図示右側には、筐体２内部のスイッチ回路（図示せず）を切り換え操作可能なスイッチ操作部９が、内部の弾性部材（図示せず）により上方側に弾性付勢されて所定高さで突出している。
また、アクチュエータ５の図示上方側で、本発明のスイッチ装置１の外部には、例えば自動車等に取り付けられたシートベルト装置のバックルに係合させて装着可能で、タング等に支持可能な棒状の作動部材１０が配設されている。
前記アクチュエータ５は、作動部材１０の矢印Ｆ方向、あるいは矢印Ｆと逆方向に移動させることで、矢印Ｄの一方向、あるいは矢印Ｅの他方向に傾倒操作可能になっている。
そして、矢印Ｅの他方向に傾倒して、第１操作部５ａがスイッチ操作部９から離間した初期状態（図２に示す状態）におけるアクチュエータ５は、作動部材１０が、第２操作部５ｂの第２操作面５ｄ上に位置して、第２操作部５ｂが一方の側壁２ａと略平行になって、アクチュエータ５の動きが規制されている。
【００２４】
このような構成の本発明のスイッチ装置１の操作を、図２〜図４に基づいて説明すると、まず、図２に示す初期状態における作動部材１０を、図示右方向の矢印Ｆ方向（一方側）に移動操作する。
そして、作動部材１０が第１、第２操作部材５ａ、５ｂの交叉部分に位置して、基部６が図３に示すように一方の側壁２ａに対して直立すると、弾性部材７が摺動部材８を介して一方の側壁２ａに垂直方向に弾性付勢した中立状態となる。
【００２５】
前記アクチュエータ５が図３に示す中立状態の時に、作動部材１０を矢印Ｆの一方側に微小量移動させて、第１操作部５ａの第１操作面５ｃを下方に押圧すると、基部６が図示左方向の他方側に傾倒すると共に、弾性部材７の付勢力によって摺動部材８が、一方の側壁２ａ上を図示左方向の他方側にスライドする。
このことにより、アクチュエータ５は、図４に示すように、第１操作部５ａが一方の側壁２ａと略平行になるように大きく傾倒する。
すると、弾性部材７の付勢力で、第１操作部５ａがスイッチ操作部９を押圧して、スイッチ操作部９が筐体２内部に押し込まれ、内部のスイッチ回路が切り換わってＯＮされ、本発明のスイッチ装置１が図４に示すような作動状態となる。
【００２６】
前記作動状態から、作動部材１０を矢印Ｆと逆方向の他方側に移動させると、アクチュータ５が図３に示す中立状態を通過して、図２に示す初期状態に復帰すると共に、内部のスイッチ回路が切り換わってＯＦＦとなる。
即ち、本発明のスイッチ装置１は、中立状態の位置にある作動部材１０の矢印Ｆ方向、またはこれと逆方向に移動させる移動量が小さくても、アクチュエータ５を矢印Ｄ方向、または矢印Ｅ方向に大きく傾動操作することができる。
そのために、作動部材１０の移動量が小さくても、アクチュエータ５を大きく傾倒させることができ、筐体２内部のスイッチ回路を確実に切り換えることができる。
【００２７】
尚、本発明の実施の形態では、弾性部材７が鋼球からなる摺動部材８を介して一方の側壁２ａに弾性付勢することで説明したが、弾性部材７の端部を一方の側壁２ａに対してスライド可能な形状にして、弾性部材７を直接一方の側壁２ａに弾性付勢するようにしたものでも良い。
即ち、弾性部材７は、一方の側壁２ａ上を一方側、及び他方側にスライドするようになっており、他方側にスライドする弾性部材７の付勢力で一方向に傾倒した第１操作部５ａにより、スイッチ操作部９が筐体２内部に押し込まれて内部のスイッチ回路が切り換わるようになっている。
また、摺動部材８を鋼球で説明したが、一方の側壁２ａに対して摩擦係数が小さくて摺動可能なものであれば良い。
【図面の簡単な説明】
【００２８】
【図１】本発明のスイッチ装置を説明する側面図である。
【図２】本発明のスイッチ装置の動作を説明する要部断面図である。
【図３】本発明のスイッチ装置の動作を説明する要部断面図である。
【図４】本発明のスイッチ装置の動作を説明する要部断面図である。
【図５】従来のスイッチ装置を説明する側面図である。
【図６】図５の動作を説明する側面図である。
【符号の説明】
【００２９】
１  本発明のスイッチ装置
２  筐体
２ａ  一方の側壁
２ｂ  他方の側壁
２ｃ  回動支持部  
３  端子部
４  傾倒支持部
５  アクチュエータ
５ａ  第一操作部
５ｂ  第２操作部
５ｃ  第１操作面
５ｄ  第２操作面
５ｆ  第１ストッパー部
５ｇ  第２ストッパー部
６  基部
６ａ  収納孔
７  弾性部材
８  摺動部材
９  スイッチ操作部
１０  作動部材
【図１】
2006351238.tif 000003
【図２】
2006351238.tif 000004
【図３】
2006351238.tif 000005
【図４】
2006351238.tif 000006
【図５】
2006351238.tif 000007
【図６】
2006351238.tif 000008